(57)【要約】【課題】  本発明は、作業性よくしかも内容物に無駄を生じさせることなく、袋から内容物を絞り出すことができ、また持ち運びに便利な袋の内容物絞り出し装置を提供する。【解決手段】袋の内容物絞り出し装置１は、水平状に設けた梯子状の水平架台２の一方に袋内容物絞り出し部３を配設し、水平架台２の他方に袋内容物の受け部４を配設し、該水平架台２の適所にスタンド部材５を配設したもので構成される。袋内容物絞り出し部３の袋載置台７に袋を載せて開封し、ローラ部材１６で押圧して袋内の内容物を絞り出して受け部に収納するもので、屋根の上等の高所、傾斜面においても、迅速、確実に袋の破封、開袋、内容物の絞り出しができる。【選択図】  図６
2006182370.tif 000002
【特許請求の範囲】
【請求項１】
内容物を収容した可撓性を有する袋を破封して、この内容物を所定の容器内に絞り出す装置であって、水平方向に設けた袋載置台の上面に、該袋載置台に横置きした袋の上面を圧搾して内容物を絞り出すローラ部材を移動可能に設けると共に、該ローラ部材にはローラ部材を押し引き操作可能にして且つローラー部材の袋側への押圧力を加減可能にできる把持部材を設け、該袋載置台のローラ部材の絞り出し方向先端側の下部に、袋の内容物を受け収納する容器を配設したことを特徴とする袋の内容物絞り出し装置。
【請求項２】
ローラ部材の回転支持軸の両側に各々天秤部材を回転自在に枢支させ、該天秤部材のローラ部材下方側先端にガイド部を、天秤部材のローラ部材上方側後端に把持部材を設けたことを特徴とする請求項１記載の袋の内容物絞り出し装置。
【請求項３】
袋載置台の上面に、該袋載置台に横置きした袋の上面とローラー部材との間に可撓性を有する板状の袋抑え部材を位置させたことを特徴とする請求項１記載の袋の内容物絞り出し装置。
【請求項４】
袋載置台の上面に、該袋載置台に横置きした袋の上面を圧搾して内容物を絞り出す際に、袋が滑らないように滑り止め部材を設けたことを特徴とする請求項１記載の袋の内容物絞り出し装置。
【請求項５】
工事現場の屋根面など傾斜台場の上面に水平架台を敷設固定し、該水平架台に袋載置台と、容器を搭載したことを特徴とする請求項１記載の袋の内容物絞り出し装置。
【発明の詳細な説明】
【技術分野】
【０００１】
本発明は袋の内容物絞り出し装置に関し、例えば屋根面に敷設する瓦等を安定に保持する屋根土や屋根壁の漆喰等、混練状の建材用土を収容した可撓性を有する袋からその内容物を工事現場において無駄なく絞り出すのに利用されるものに関する。
【背景技術】
【０００２】
上記袋の内容物絞り出し装置としては、例えば、特許文献１、２、３に示されるように一対の狭窄部材、若しくは上下一対の絞ロールで絞り出すものが提案されている。
【特許文献１】特開平  ６−１５６４５５号公報
【特許文献２】特開平  ６−３３６２３４号公報
【特許文献３】特開平  ７−  ８９０５４号公報
【発明の開示】
【発明が解決しようとする課題】
【０００３】
特許文献１、２のものは、内容物を収納した袋を一対の狭窄部材に挟み込んで吊り下げ保持する必要があり、袋の重量が重くなると袋の吊り下げ設定及び絞り出し作業の安定性に欠ける面がある。また、特許文献３のものも、袋を予め上下一対の絞ロールに挟み込み設定する必要があり、かつ絞ロールの駆動に駆動モーターを使用しているので電源の用意がないと使えない恐れがあった。
【０００４】
本発明が前述の状況に鑑み、解決しようとするところは、簡単な構造で屋根の上等の高所、傾斜面においても、迅速、確実に袋の破封、開袋、内容物の絞り出しができる袋の内容物絞り出し装置を提供する点にある。
【課題を解決するための手段】
【０００５】
本発明は、前述の課題解決のために、第一に、内容物を収容した可撓性を有する袋を破封して、この内容物を所定の容器内に絞り出す装置であって、水平方向に設けた袋載置台の上面に、該袋載置台に横置きした袋の上面を圧搾して内容物を絞り出すローラ部材を移動可能に設けると共に、該ローラ部材にはローラ部材を押し引き操作可能にして且つローラー部材の袋側への押圧力を加減可能にできる把持部材を設け、該袋載置台のローラ部材の絞り出し方向先端側の下部に、袋の内容物を受け収納する容器を配設したことを特徴とする。
この構成により、袋の支持を横置きに安定させて迅速、確実に袋内の収納物を絞り出すことができる。
【０００６】
第二に、ローラ部材の回転支持軸の両側に各々天秤部材を回転自在に枢支させ、該天秤部材のローラ部材下方側先端にガイド部を、天秤部材のローラ部材上方側後端に把持部材を設けたことを特徴とし、これにより、把持部材によるローラー部材の移動操作と袋側への押圧力を、天秤部材による梃子の原理を応用して加減可能にできる操作を、自在に遂行できて袋内の収納物を容易に絞り出すことができる。
第三に、袋載置台の上面に、該袋載置台に横置きした袋の上面とローラー部材との間に可撓性を有する板状の袋抑え部材を位置させたことを特徴とし、袋抑え部材の被覆により、袋から内容物を絞り出しする際に内容物でローラー部材が汚れることがなくローラー部材が常に円滑な作動をする。また、抑え部材の被覆で袋が逃げ移動することもなく、袋の支持を安定させて袋内の収納物を絞り出すことができる。。
【０００７】
第四に、袋載置台の上面に、該袋載置台に横置きした袋の上面を圧搾して内容物を絞り出す際に、袋が滑らないように滑り止め部材を設けたことを特徴とし、袋の支持を安定させて袋内の収納物を絞り出すことができる。
第五に、工事現場の屋根面など傾斜台場の上面に水平架台を敷設固定し、該水平架台に袋載置台と、容器を搭載したことを特徴とするので、屋根の上等の高所、傾斜面においても、迅速、確実に袋の破封、開袋、内容物の絞り出しができる。
【発明の効果】
【０００８】
請求項１〜４の発明により、混練状の内容物を収容した可撓性を有する袋を安定状態に横置き支持させて破封して開袋し、ローラー部材により袋内に収容された収納物を簡単な操作で容易に絞り出して、受け容器に移すことができる。
したがって、格別な動力を必要とすることなく、作業性に優れているとともに、内容物を無駄なく、周囲に飛散させることもなく受け容器に移すことができる。
【発明を実施するための最良の形態】
【０００９】
以下、実施例に関する図面に基づいて本発明を詳細に説明する。
本発明の絞り出し装置１は、水平状に設けた梯子状の水平架台２の一方に袋内容物絞り出し部３を配設し、水平架台２の他方に袋内容物の受け部４を配設し、該水平架台２の両横にスタンド部材５を配設したもので構成される。
前記袋内容物絞り出し部３は次のように構成されている。即ち、水平架台２に着脱自在に固定される縦方向の門型立柱部材６と、水平方向に平面矩形状に設けた袋載置台７がフレーム枠８により側面視で逆Ｌ字形に一体構成されており、該袋載置台７は下手側を解放端９にした側壁１０を有した箱形に形成され、該袋載置台７の上面には凹凸の突起物が形成されているゴム製の滑り止め部材１１が敷設されてあり、前記側壁１０の下部裏側に設けられたフレーム枠８でレール部１２になるよう直線状の平面に形成されている。フレーム枠８の先端下部にローラ部材１６のオーバーラン移動防止用のストッパー８ａが垂設される。
【００１０】
前記該袋載置台７の上面に、内容物１３を収容した可撓性を有する袋１４を横置きした状態で予めカッター１５等で切断、破封してから、該袋１４の上面を圧搾して内容物１３を絞り出すローラ部材１６を回転自在にして移動可能に設ける。上記袋１４の内容物１３は、例えば屋根面に敷設する瓦等を安定に保持する屋根土や屋根壁の漆喰等、混練状の建材用土が対象とされる。
該ローラ部材１６は、袋載置台７の両側壁１０間に亘る長さにされており、袋載置台７上においてローラ部材１６を前後方向に押し引き操作可能にして且つローラ部材１６の袋側への押圧力を加減可能にできるようにするために、
【００１１】
該ローラ部材１６の回転支持軸１７の両側において、前記袋載置台７の両側壁１０の外側に各々天秤部材１８を回転自在に枢支Ｓさせ、該天秤部材１８のローラ部材下方側先端にベアリング１９を遊転自在に軸支したガイド部２０を設け、該天秤部材１７のローラ部材上方側後端に門型の把持部材２１がループハンドル状に配設されている。従って、袋載置台７の両側壁１０はその内側でローラ部材１６を案内し、その外側で天秤部材１８を案内して、ローラ部材１６を横ずれすることなく案内できる機能を有する。
また、天秤部材１８の枢支部Ｓから、ガイド部２０までの長さより、把持部材２１までの長さが長く構成されており、天秤部材１８による梃子の原理を応用してローラ部材１６を前後方向に引き操作する際の、ローラ部材１６の袋側への押圧力加減が軽い力でも容易にできる。
【００１２】
該門型の把持部材２１は、ローラ部材１６に近接した位置に補強ステー２２が架設されてあり、把持部材２１の上面がくびれ状に細く形成して把持部材２１を中央位置で短くなるようにしてローラ部材１６の押し引き操作が左右に振れることなく円滑にできるようにしてあるが、この把持部材２１をくびれ状に細く形成することなく、コの字状の門型に形成しておくと、コの字状門型の間隔が、袋１４の幅寸法よりも広く設定されることから、この門型間隙を通して袋１４を袋載置台７に載せることができて袋の搭載作業が容易となり能率が向上する利点がある。
【００１３】
上記の袋載置台７の尻側には、ローラ部材１６を待避させるポケット位置Ｐが構成されており、袋載置台７を横断する傾斜突条１７ａでローラ部材１６が妄動しないように規制して袋の搭載作業を円滑にする。またこの傾斜突条１７ａにはゴム板等、可撓性を有する板状の袋抑え部材１６ａの基端が固定されており、板状の袋抑え部材１６ａの先端は袋載置台７の解放端９より長く先端に垂れるように配設されており、該袋載置台７に横置きした袋１４の上面とローラー部材１６との間に位置するようになり、袋抑え部材１６ａの被覆により、袋１４から内容物１３を絞り出しする際に内容物１３でローラー部材１６が汚れることがなくローラー部材１６が常に円滑な作動をする。また、抑え部材１６ａの被覆で袋１４が逃げ移動することもなく、袋の支持を安定させて袋内の収納物１３を絞り出すことができる。。
【００１４】
次に前記袋内容物の受け部４は次のように構成されている。即ち、水平架台２の他方に袋の内容物を受け収納する受け容器２３が配設されている。該受け容器２３は合成樹脂製の箱体で搭載されており、受け容器２３の上端が前記袋載置台７のローラ部材１６の絞り出し方向先端側の解放端９下部に臨ませた状態で水平架台２に押さえ金２４を介して着脱自在に固定されてあり、該袋載置台７に横置きした袋１４の上面をローラ部材１６で圧搾して内容物１３を絞り出して、絞り出された内容物１３を順次受け容器２３に移して収納する。
【００１５】
また、前記スタンド部材５は、袋載置台７配設位置下部の該水平架台２の左右両側に張り出した横ステー２４の両横端部に縦パイプ２５を溶接し、該縦パイプ２５内に下部に足場２６を付設した支持棒２７を挿入させて、蝶ボルト２８で支持棒２７の高さ位置を任意に設定固定できるように構成されている。したがって、工事現場の屋根面２９など傾斜台場の上面において、支持棒２７の高さ位置を任意に設定固定することにより、水平架台２を水平状態姿勢に敷設固定することができる。
なお、上記スタンド部材５は、水平架台２の先端四隅の各所に小型サイズの縦パイプ２５を着脱固定自在に差し込み止着することに変更しても良く、この小型サイズの縦パイプ２５に支持棒２７を上下位置変更自在にしておくと、屋根上において、水平架台２を任意、所望の使い勝手の良い方向に敷設固定できるので作業性の向上に寄与できる。
【００１６】
このようにして、本発明に係る絞り出し装置の実施例によれば、工事現場、邸宅の庭での使用は勿論のこと、屋根の上等の高所、傾斜面においても、迅速、確実に袋の開袋、内容物の絞り出しができる。
【実施例１】
【００１７】
次に、上記した絞り出し装置１の使用実施例について説明する。例えば、工事現場の屋根面２９など傾斜台場の上面において屋根部材揚げ機（実施例では瓦揚げ機を使用）３０の搬送終端部付近に絞り出し装置１を設置して使用する場合、この絞り出し装置１の支持棒２７の高さ位置を任意に設定して、水平架台２を屋根２９の傾斜度合いに係わらず水平状態に敷設して工事用の足場等に固定する。
これにより、例えば、屋根２９面に敷設する瓦等を安定に保持する屋根土や屋根壁の漆喰等、混練状の建材用土１３を収容した可撓性を有する袋１４を、屋根部材揚げ機３０を用いて効率的に屋根２９上に揚げることができる。
【００１８】
そして、屋根２９上に揚げた袋１４を、絞り出し装置１の袋載置台７の上に横置きに載置する。このときローラ部材１６は、袋載置台７の始端側のポケット位置Ｐに待機させておき、把持部材２１を鎖線位置の不使用位置に転回しておき、袋抑え板１６ａをめくってローラー部材１６側に待避位置させて袋載置台７の上面を露出させ、この露出された袋載置台７の上面に、内容物１３を収容した可撓性を有する袋１４を横置きした状態に置く。そしてこの状態で、鎌とか刃物等のカッター１５で袋の先端側を切断、破封してから、該袋１４の上面に袋抑え板１６ａを被覆してローラ部材１６で圧搾して内容物１３を絞り出す。
すなわち、該ローラ部材１６は天秤部材１８のローラ部材下方側のガイド部２０をレール部１２に押し付ける方向にして、該天秤部材１７のローラ部材上方側後端の把持部材２１を下方に押さえながら引き操作すると、袋載置台７の両側壁１０がローラ部材１６の横ずれを阻止した状態でローラ部材１６の袋側への押圧力を加減調節しながら袋載置台７先端側の解放端９方向に移動させることができ、袋１４の上面をローラ部材１６で圧搾して内容物１３を絞り出して、絞り出された内容物１３を順次受け容器２３に移して収納する。
【００１９】
このとき、袋抑え板１６ａが袋載置台７に横置きした袋１４の上面とローラー部材１６との間に位置するようになり、袋抑え部材１６ａの被覆により、袋１４から内容物１３を絞り出しする際に内容物１３でローラー部材１６が汚れることがなくローラー部材１６が常に円滑な作動をする。また、抑え部材１６ａの被覆で袋１４が逃げ移動することもなく、袋の支持を安定させて袋内の収納物１３を絞り出すことができる。
受け容器２３に排出収納された内容物１３は、別途の工事用の運搬用容器等に必要分だけ移して使用する。
このようにして本発明の絞り出し装置１を用いると、工事用の建材用土を袋のままで屋根などの工事現場近くに搬送でき、その内容物である建材用土３を屋根２上等の工事現場において無駄なく絞り出すのに能率的な作業が遂行できる。
【産業上の利用可能性】
【００２０】
本実施例の絞り出し装置１は、屋根の上や、車の荷台、広場、庭等、工事現場の近くで簡便にしようすることができる。また、水平架台に対して各構成部材がボルト等で適宜に組み立て・分解可能になっているので、高所等でも簡単にセットできる利点がある。そして、この絞り出し装置１は建材用土に限らず各種の混練状物や液体の内容物にも利用が可能である。またローラ部材は回転ローラでなくても、袋を押し圧可能な固定ローラーや板状の押圧部材でもよく、さらにローラ部材の把持部材は、各種に変更が可能で実施例構造に限定されるものではない。
【図面の簡単な説明】
【００２１】
【図１】絞り出し装置の斜視図である。
【図２】絞り出し装置の側面図である。
【図３】絞り出し装置の要部斜視図である。
【図４】絞り出し装置の背面図である。
【図５】絞り出し装置の要部断面図である。
【図６】絞り出し装置を屋根上に敷設した使用説明図である。
【図７】別の絞り出し装置の背面図である。
【図８】別の絞り出し装置の側面図である。
【図９】絞り出し装置を屋根部材揚げ機に近接させて、屋根上に敷設した使用状態を示す、下方から上方を見上げた斜視説明図である。
【図１０】絞り出し装置を屋根部材揚げ機に近接させて、屋根上に敷設した使用状態を示す、上方から下方を見下ろした斜視説明図である。説明図である。
【符号の説明】
【００２２】
１  絞り出し装置
２    水平架台
３    袋内容物絞り出し部
４    袋内容物の受け部
５    スタンド部材
６    ローラ部材
【図１】
2006182370.tif 000003
【図２】
2006182370.tif 000004
【図３】
2006182370.tif 000005
【図４】
2006182370.tif 000006
【図５】
2006182370.tif 000007
【図６】
2006182370.tif 000008
【図７】
2006182370.tif 000009
【図８】
2006182370.tif 000010
【図９】
2006182370.tif 000011
【図１０】
2006182370.tif 000012